(57)【要約】  本発明は、雄コネクタおよび雌コネクタの左側および右側に形成されるロック構造を用いて雄コネクタおよび雌コネクタを二重に結合することによって、結合状態で雄コネクタおよび雌コネクタが左右に歪むのを防止することができるロック構造を備えたコネクタに関する。
2020508544.tif 000002
【特許請求の範囲】
【請求項１】
一側に所定大きさで突出形成された固定部材を備えた雄コネクタ、および
前記雄コネクタと結合し、一側に前記固定部材に嵌合される連結部材を備えた雌コネクタ
を含む、ロック構造を備えたコネクタ。
【請求項２】
前記固定部材は、
前記雄コネクタの両面側にそれぞれ形成される、請求項１に記載のロック構造を備えたコネクタ。
【請求項３】
前記固定部材の一側には、
嵌合された前記連結部材が離脱するのを防止する離脱防止突起が形成される、請求項１または２に記載のロック構造を備えたコネクタ。
【請求項４】
前記固定部材の他側には、
前記連結部材がスライド方式で嵌められるようにする傾斜面が形成される、請求項３に記載のロック構造を備えたコネクタ。
【請求項５】
前記連結部材は、
エンジニアリングプラスチックス（Ｅｎｇｉｎｅｅｒｉｎｇ  ｐｌａｓｔｉｃｓ）素材からなる、請求項１から４のいずれか一項に記載のロック構造を備えたコネクタ。
【請求項６】
前記連結部材は、
前記固定部材に嵌合され、曲がった状態で嵌められた後に結合される、請求項５に記載のロック構造を備えたコネクタ。
【請求項７】
前記連結部材は、
０．５ｍｍ〜０．７ｍｍの厚さに形成される、請求項１から６のいずれか一項に記載のロック構造を備えたコネクタ。
【発明の詳細な説明】
【技術分野】
【０００１】
本出願は２０１７年０９月１８日付の韓国特許出願第１０−２０１７−０１１９４８３号に基づいた優先権の利益を主張し、上記韓国特許出願の文献に開示された全ての内容は本明細書の一部として含まれる。
【０００２】
本発明は、ロック構造を備えたコネクタに関し、より詳しくは、雄コネクタおよび雌コネクタの左側および右側に形成されるロック構造を用いて雄コネクタおよび雌コネクタを二重に結合することによって、結合状態で雄コネクタおよび雌コネクタが左右に歪むのを防止することができるロック構造を備えたコネクタに関する。
【背景技術】
【０００３】
一般に、印刷回路基板（Ｐｒｉｎｔｅｄ  ｃｉｒｃｕｉｔ  ｂｏａｒｄ）とは、回路設計に基づいて部品を接続する電気配線を配線図形の形態で絶縁物体に銅（Ｃｕ）箔を形成して電気導体に表された製品を称し、様々な電子製品（例えば、家電製品およびコンピュータなど）において様々な構成および形態で用いられている。
【０００４】
一方、上記の印刷回路基板には基板に印刷された回路の他にも外部から電気的信号を伝達するために基板表面に複数の電気コネクタが用いられており、上記電気コネクタは一般にアーム、雄コネクタが１対で構成されて用いられている。
【０００５】
より具体的には、上記電気コネクタは、雌コネクタが印刷回路基板に固定され、上記雌コネクタの一側に雄コネクタが結合して、電気的信号を雌コネクタに伝達し、上記信号を印刷回路基板まで伝達する構造に構成される。
【０００６】
したがって、上記雄コネクタから雌コネクタに電気的信号を容易に伝達するためには、雄コネクタと雌コネクタが歪むことなく正確に結合されることが重要であり、外圧によって結合された状態の雄コネクタと雌コネクタの構造が歪まないことが重要である。
【０００７】
しかし、従来のコネクタの場合、単に雌コネクタの上端が雄コネクタの下端に嵌められる構造からなるため、結合された状態の雄コネクタおよび雌コネクタが外圧によって左右に歪むという問題点があり、このような問題点により、結合された状態の雄コネクタおよび雌コネクタが左右に歪む場合、雄コネクタまたは雌コネクタの故障が生じうるし、そのために印刷回路基板にも故障が生じるという問題点があった。
【０００８】
一方、近来、下記の大韓民国登録実用新案第２０−０４５４０８８号（電気コネクタ）のように、雄コネクタおよび雌コネクタが逆方向に結合されるのを防止できる技術が開発されて商用化されているが、依然として、結合された状態の雄コネクタおよび雌コネクタの歪みを防止できる技術は開発されておらず、前述したように、結合された状態の雄コネクタおよび雌コネクタが外圧によって左右に歪むという問題点は解消されずにいる実情であった。
【発明の概要】
【発明が解決しようとする課題】
【０００９】
本発明の目的は、雄コネクタおよび雌コネクタの左側および右側に形成されるロック構造を用いて雄コネクタおよび雌コネクタを二重に結合することによって、結合状態で雄コネクタおよび雌コネクタが左右に歪むのを防止することができるロック構造を備えたコネクタを提供することにある。
【課題を解決するための手段】
【００１０】
本発明の一実施形態によるロック構造を備えたコネクタは、一側に所定大きさで突出形成された固定部材を備えた雄コネクタ、および上記雄コネクタと結合し、一側に上記固定部材に嵌合される連結部材を備えた雌コネクタを含む。
【００１１】
一つの実施形態において、上記固定部材は、上記雄コネクタの両面側にそれぞれ形成されてもよい。
【００１２】
一つの実施形態において、上記固定部材の一側には、嵌合された上記連結部材が離脱するのを防止する離脱防止突起が形成されてもよい。
【００１３】
一つの実施形態において、上記固定部材の他側には、上記連結部材がスライド方式で嵌められるようにする傾斜面が形成されてもよい。
【００１４】
一つの実施形態において、上記連結部材は、フレキシブル（Ｆｌｅｘｉｂｌｅ）素材からなってもよい。
【００１５】
一つの実施形態において、上記連結部材は、上記固定部材に嵌合され、曲がった状態で嵌められた後に結合されてもよい。
【００１６】
一つの実施形態において、上記連結部材は、０．５ｍｍ〜０．７ｍｍの厚さに形成されてもよい。
【発明の効果】
【００１７】
本発明の一側面によれば、雄コネクタおよび雌コネクタの左側および右側に形成されるロック構造を用いて雄コネクタおよび雌コネクタを二重に結合することによって、結合状態で雄コネクタおよび雌コネクタが左右に歪むのを防止することができるロック構造を備えたコネクタが提供される。
【図面の簡単な説明】
【００１８】
【図１】本発明の一実施形態によるロック構造を備えたコネクタの構成を概略的に示す斜視図である。
【図２】本発明の一実施形態によるロック構造を備えたコネクタの構成を概略的に示す正面図である。
【図３】本発明の他の一実施形態によるロック構造を備えたコネクタの構成を概略的に示す正面図である。
【発明を実施するための形態】
【００１９】
本発明を添付された図面を参照して詳細に説明すれば以下のとおりである。ここで、繰り返される説明、本発明の要旨を不要に濁す恐れのある公知機能および構成に関する詳細な説明は省略する。本発明の実施形態は、当業界で平均的な知識を有する者に本発明をより完全に説明するために提供されるものである。よって、図面での要素の形状および大きさなどはより明らかな説明のために誇張されてもよい。
【００２０】
明細書の全体にかけて、ある部分がある構成要素を「含む」とする時、これは、特に反する記載がない限り、他の構成要素を除くものではなく、他の構成要素をさらに含んでもよいことを意味する。
【００２１】
また、明細書に記載された「...部」という用語は１つ以上の機能や動作を処理する単位を意味し、これは、ハードウェアやソフトウェアまたはハードウェアおよびソフトウェアの結合で実現されてもよい。
【００２２】
図１〜図３は、本発明の一実施形態によるロック構造を備えたコネクタ１００の構成を概略的に示す図である。
【００２３】
図１〜図３を参照すれば、本発明の一実施形態によるロック構造を備えたコネクタ１００は、その構成要素として、雄コネクタ１１０および雌コネクタ１２０を含むことができる。
【００２４】
この時、図１〜図３に示すように、雌コネクタ１２０の上端が雄コネクタ１１０の下端に結合される構造からなるが、これに限定されるものではないことに留意する。
【００２５】
また、本発明の一実施形態によるロック構造を備えたコネクタ１００は、印刷回路基板（Ｐｒｉｎｔｅｄ  ｃｉｒｃｕｉｔ  ｂｏａｒｄ）を含めてコネクタが適用できる分野であれば、いずれにも適用できることに留意する。
【００２６】
先ず、図１〜図３を参照して本発明の一実施形態によるロック構造を備えたコネクタ１００の雄コネクタ１１０について説明すれば、本発明の一実施形態による雄コネクタ１１０は、一側に所定の大きさで突出形成される固定部材１１１を含むことができる。
【００２７】
この時、固定部材１１１は、上記雄コネクタ１１０の左側および右側（図２を基準にして、雄コネクタ１１０の左側および右側）にそれぞれ形成されることができる。但し、図１〜図３に示された固定部材１１１が形成された位置は本発明の一実施形態によるものであって、固定部材１１１が形成される位置が図１〜図３に示されたものに限定されないことに留意する。
【００２８】
次に、本発明の一実施形態による雌コネクタ１２０は、雄コネクタ１１０と結合し、一側に上記固定部材１１１に嵌合される連結部材１２１を含むことができる。
【００２９】
この時、連結部材１２１は、上記雄コネクタ１１０の左側および右側にそれぞれ形成された固定部材１１１にそれぞれが嵌合されるように雌コネクタ１２０の左側および右側（図２を基準にして、雌コネクタ１２０の左側および右側）にそれぞれ形成されることができる。但し、図１〜図３に示された連結部材１２１が形成された位置は本発明の一実施形態によるものであって、連結部材１２１が形成される位置が図１〜図３に示されたものに限定されないことに留意する。
【００３０】
また、連結部材１２１の一側には突出形成された上記固定部材１１１が嵌められる穴が形成されてもよいが、これに限定されるものではないことに留意する。例えば、上記連結部材１２１の一側には、突出形成された上記固定部材１１１が嵌められる溝が形成されてもよい。
【００３１】
なお、連結部材１２１は０．５ｍｍ〜０．７ｍｍの厚さに形成されることが好ましいが、連結部材１２１の厚さが前述したものに限定されないことに留意する。
【００３２】
一方、上記連結部材１２１は、エンジニアリングプラスチックス（Ｅｎｇｉｎｅｅｒｉｎｇ  ｐｌａｓｔｉｃｓ）素材からなることができる。この時、上記連結部材１２１がエンジニアリングプラスチックス（Ｅｎｇｉｎｅｅｒｉｎｇ  ｐｌａｓｔｉｃｓ）素材からなることによって、上記固定部材１１１に嵌められる時、曲がることによってクラック（Ｃｒａｃｋ）が発生するのを防止することができる。
【００３３】
また、上記連結部材１２１は、フレキシブル（Ｆｌｅｘｉｂｌｅ）素材からなることができる。この時、上記連結部材１２１がフレキシブル（Ｆｌｅｘｉｂｌｅ）素材からなることによって、曲がった状態で上記固定部材１１１に嵌められた後に結合されることができる。
【００３４】
但し、この時、上記連結部材１２１の素材が前述したものに限定されないことに留意する。
【００３５】
一方、図２を参照すれば、本発明の一実施形態による固定部材１１１の一側には、嵌合された上記連結部材１２１が離脱するのを防止するための離脱防止突起１１１ａが形成されることができる。
【００３６】
この時、離脱防止突起１１１ａの形状および位置は、図２に示すものに限定されず、嵌合された上記連結部材１２１の離脱を防止する形状および位置であれば、他の形状および位置に形成できることに留意する。
【００３７】
また、図３を参照すれば、本発明の一実施形態による固定部材１１１の一側（例えば、図２に示すように固定部材１１１の下側）には上側方向に嵌合される連結部材１２１が容易に嵌められるようにする傾斜面１１１ｂが形成されることができる。
【００３８】
それにより、上記連結部材１２１は下側方向から上側方向には容易に嵌められ、嵌められた後には、上記離脱防止突起１１１ａによって離脱するのが防止される。
【００３９】
すなわち、本発明の一実施形態によるロック構造を備えたコネクタ１００は、雌コネクタ１２０が雄コネクタ１１０の下端に嵌合され、雄コネクタ１１０および雌コネクタ１２０の左側および右側に形成される固定部材１１１および連結部材１２１がさらに結合されることによって、結合状態の雄コネクタ１１０および雌コネクタ１２０が左右側に歪むのを効果的に防止することができる。
【００４０】
以上、本発明の特定の実施形態を図示して説明したが、本発明の技術思想は添付された図面と上記説明の内容に限定されず、本発明の思想を逸脱しない範囲内で様々な形態の変形が可能であることは本分野の通常の知識を有する者に明らかな事実であり、このような形態の変形は本発明の精神に違背しない範囲内で本発明の特許請求の範囲に属すると言える。
【図１】
2020508544.tif 000003
【図２】
2020508544.tif 000004
【図３】
2020508544.tif 000005
【国際調査報告】
2020508544.tif 000006
2020508544.tif 000007
2020508544.tif 000008
2020508544.tif 000009